【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
記録領域のうち、所定の記録領域に記録された所定の形式のデータを無線通信を介して送信する送信装置を接続可能な記録制御装置であって、
データを取得する取得手段と、
前記取得手段により取得されたデータの形式を変換する変換手段と、
前記変換手段により変換されたデータを前記記録領域に記録する記録制御手段と、
前記取得手段により取得されたデータを送信するための指示を受け付ける操作手段とを有し、
前記操作手段により、データを送信するための指示が受け付けられたことに応じて、前記変換手段による前記指示されたデータの前記所定の形式への変換と、前記記録制御手段による前記変換されたデータの前記所定の記録領域への記録とが自動的に実行されることを特徴とする記録制御装置。
【請求項２】
前記取得手段は、前記記録領域のうち、前記所定の記録領域以外の領域に記録されているデータを読み出すことにより、データを取得することを特徴とする請求項１に記載の記録制御装置。
【請求項３】
被写体を撮像して画像データを得る撮像手段を有し、
前記記録制御手段は更に、前記撮像手段により得られた画像データを前記送信装置の記録領域に記録し、
前記取得手段は、前記記録領域のうち、前記所定の記録領域以外の領域に記録されている画像データを読み出すことにより、データを取得することを特徴とする請求項１または２に記載の記録制御装置。
【請求項４】
前記送信装置とは異なる装置である記録媒体と接続する接続手段を更に有し、
前記取得手段は、前記記録媒体に記録されているデータを読み出すことにより、データを取得することを特徴とする請求項１乃至３のいずれか１項に記載の記録制御装置。
【請求項５】
被写体を撮像して画像データを得る撮像手段と、
前記送信装置とは異なる装置である記録媒体と接続する接続手段とを更に有し、
前記記録制御手段は更に、前記撮像手段により得られた画像データを前記記録媒体に記録し、
前記取得手段は、前記記録媒体に記録されている画像データを読み出すことにより、データを取得することを特徴とする請求項１または２に記載の記録制御装置。
【請求項６】
前記接続手段は、前記記録媒体と着脱可能に接続することを特徴とする請求項４または５に記載の記録制御装置。
【請求項７】
前記接続手段は更に前記送信装置とも接続可能であることを特徴とする請求項４乃至６のいずれか１項に記載の記録制御装置。
【請求項８】
前記接続手段は、前記記録媒体と接続している状態で更に前記送信装置とも接続可能であることを特徴とする請求項４乃至６のいずれか１項に記載の記録制御装置。
【請求項９】
前記記録制御手段は、前記所定の形式に変換されたデータに、予め決められた規則に従ったファイル名を対応づけて前記所定の記録領域に記録することを特徴とする請求項１乃至８のいずれか１項に記載の記録制御装置。
【請求項１０】
前記所定の記録領域は所定の文字列を含むファイルパスで示される領域であることを特徴とする請求項１乃至９のいずれか１項に記載の記録制御装置。
【請求項１１】
前記記録領域のうちいずれの領域を前記所定の記録領域とするかは、ユーザ操作に応じて予め設定可能であることを特徴とする請求項１乃至１０のいずれか１項に記載の記録制御装置。
【請求項１２】
前記送信が指示されたデータが既に前記所定の形式のデータである場合、前記変換手段は前記指示されたデータを変換しないことを特徴とする請求項１乃至１１のいずれか１項に記載の記録制御装置。
【請求項１３】
前記操作手段により前記データを送信する指示が受け付けられた際に、前記送信装置が前記記録制御装置に接続されていない場合、前記変換手段は前記送信が指示されたデータを変換しないことを特徴とする請求項１乃至１２のいずれか１項に記載の記録制御装置。
【請求項１４】
前記変換手段は、前記所定の記録領域の空き領域の容量に基づき、前記送信が指示されたデータの形式を前記所定の形式に変換するか否かを切り替えることを特徴とする請求項１乃至１３のいずれか１項に記載の記録制御装置。
【請求項１５】
前記所定の記録領域の空き領域の容量に基づき、前記送信が指示されたデータの形式を前記所定の形式に変換した後のデータを記録可能かどうか判断する判断手段を更に有し、
前記判断手段により前記変換後のデータが記録可能であると判断された場合、前記変換手段は、前記送信が指示されたデータの形式を前記所定の形式に変換することを特徴とする請求項１乃至１４のいずれか１項に記載の記録制御装置。
【請求項１６】
前記操作手段は更に、前記データの一部を選択する指示を受け付け、
前記変換手段は更に、前記選択が指示されたデータの一部を、前記所定の形式のデータに変換することを特徴とする請求項１乃至１５のいずれか１項に記載の記録制御装置。
【請求項１７】
前記操作手段は更に、前記データの一部を選択する指示を受け付け、
前記変換手段は更に、前記選択が指示されたデータの一部を、前記所定の形式に従ったデータサイズごとに分割して複数の前記所定の形式のデータに変換することを特徴とする請求項１乃至１５のいずれか１項に記載の記録制御装置。
【請求項１８】
前記データは動画データであり、
前記変換手段は、前記選択が指示された動画データの一部を、前記所定の形式に従った時間長またはデータサイズごとに分割して複数の前記所定の形式の動画データに変換することを特徴とする請求項１７に記載の記録制御装置。
【請求項１９】
複数の前記所定の形式の動画データの変換中に変換を停止する指示を受け付けた場合、その時点までに変換済みの動画データを前記所定の記録領域に記録することを特徴とする請求項１８に記載の記録制御装置。
【請求項２０】
前記変換手段による変換処理中は前記送信装置の送信機能を制限するよう制御する制限手段を更に有することを特徴とする請求項１乃至１９のいずれか１項に記載の記録制御装置。
【請求項２１】
記録領域のうち、所定の記録領域に記録された所定の形式のデータを無線通信を介して送信する送信装置を接続可能な記録制御装置の制御方法であって、
データを取得する取得ステップと、
前記取得ステップで取得されたデータの形式を前記所定の形式に変換する変換ステップと、
前記変換ステップで変換されたデータを前記所定の記録領域に記録する記録制御ステップと、
前記取得ステップで取得されたデータを送信するための指示を受け付ける操作ステップとを有し、
前記取得ステップで取得されたデータに対する所定の指示が受け付けられたことに応じて、前記変換ステップと前記記録制御ステップとが自動的に実行されることを特徴とする記録制御装置の制御方法。
【請求項２２】
コンピュータを、請求項１乃至２０のいずれか１項に記載の記録制御装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】記録制御装置及びその制御方法、プログラム
【手続補正３】
【補正対象書類名】明細書
【補正対象項目名】０００１
【補正方法】変更
【補正の内容】
【０００１】
本発明は、データの記録制御技術に関するものである。
【手続補正４】
【補正対象書類名】明細書
【補正対象項目名】０００６
【補正方法】変更
【補正の内容】
【０００６】
本発明は、上記課題に鑑みてなされ、データ送信時に、煩雑な操作を行うことなく、データを所定の形式に変換し、所定の記録領域に記録できる技術を実現する。
【手続補正５】
【補正対象書類名】明細書
【補正対象項目名】０００７
【補正方法】変更
【補正の内容】
【０００７】
上記課題を解決するため、本発明の記録制御装置は、記録領域のうち、所定の記録領域に記録された所定の形式のデータを無線通信を介して送信する送信装置を接続可能な記録制御装置であって、データを取得する取得手段と、前記取得手段により取得されたデータの形式を変換する変換手段と、前記変換手段により変換されたデータを前記記録領域に記録する記録制御手段と、前記取得手段により取得されたデータを送信するための指示を受け付ける操作手段とを有し、前記操作手段により、データを送信するための指示が受け付けられたことに応じて、前記変換手段による前記指示されたデータの前記所定の形式への変換と、前記記録制御手段による前記変換されたデータの前記所定の記録領域への記録とが自動的に実行される。
【手続補正６】
【補正対象書類名】明細書
【補正対象項目名】０００８
【補正方法】変更
【補正の内容】
【０００８】
本発明によれば、データ送信時に、煩雑な操作を行うことなく、データを所定の形式に変換し、所定の記録領域に記録することができる。